(57)【要約】【課題】軸受を圧入する際に半径方向内方の力が作用するのを防止し、軸受の内径公差を小さくして駆動軸との嵌合ガタを、高精度で安定して抑制することができると共に、内径寸法変化による不具合を確実に防止することのできる魚釣用リールを提供すること【解決手段】リール本体１２の軸受支持部１３に嵌合支持される合成樹脂製軸受３２により、ハンドル軸１４を回動自在に支持する魚釣用リールにおいて、軸受３２には、ハンドル軸１４を回転自在に支えかつリール本体１２の軸受支持部１３に嵌合される嵌合部３４と、この嵌合部から半径方向外方に突出しかつ側部に圧入変形部３８を設けた突出部３６とを形成し、リール本体１２には、軸受３２の嵌合部３４を軸受支持部１３に嵌合したときに、圧入変形部３８を介して突出部３６を圧入可能な回り止め係合部４４を形成た魚釣用リール。【選択図】    図２
2004298012.tif 000002
【特許請求の範囲】
【請求項１】
リール本体の軸受支持部に嵌合支持される合成樹脂製軸受により、駆動軸を回動自在に支持する魚釣用リールにおいて、前記軸受には、前記駆動軸を回転自在に支えかつ前記リール本体の軸受支持部に嵌合される嵌合部と、この嵌合部から半径方向外方に突出しかつ側部に圧入変形部を設けた突出部とを形成し、前記リール本体には、前記軸受の嵌合部を軸受支持部に嵌合したときに、前記圧入変形部を介して突出部を圧入可能な回り止め係合部を形成し、この回り止め係合部は前記圧入変形部の係合圧力を前記駆動軸の周方向に作用させることを特徴とする魚釣用リール。
【発明の詳細な説明】
【０００１】
【発明の属する技術分野】
本発明は、リール本体の軸受支持部に嵌合支持される合成樹脂製軸受により、駆動軸を回動自在に支持する魚釣用リールに関する。
【０００２】
【従来の技術】
リール本体の軸受支持部に嵌合支持される合成樹脂製軸受の寸法誤差や芯ブレ等の影響を排除するために、駆動軸を支える筒状軸受部の外周に、周方向に片持ち状に延びる圧接片や半径方向外方に突出する突片からなる緩衝部を一体形成し、リール本体の軸受孔に圧入する際にこの緩衝部を弾性変形させる軸受が知られている（例えば特許文献１参照）。
【０００３】
【特許文献１】
実用新案登録第２５６７０２３号
【０００４】
【発明が解決しようとする課題】
しかし、周方向に片持ち状に延びる圧接片を筒状軸受部の外周に形成する場合には、この軸受の成形性が悪いために安定した寸法精度を得ることができず、更に、この圧接片が緩衝作用をなすため、十分な圧入強度を得ることができない。
このため、リール本体の軸受孔に軸受を圧入した場合でも、駆動軸と共に軸受が共回りすることがある。リール本体の軸受孔内で軸受が回転すると、軸受が磨耗し、これにより軸受のガタ付きを生じ、磨耗量が大きくなると、軸受が脱落する虞がある。
【０００５】
また、半径方向外方に突出する突片を筒状軸受部の外周に形成する場合には、リール本体の軸受孔に圧入する際に、突片と筒状軸受部とを連結するフレーム片を介して、半径方向内方に向く圧力が、この突片から筒状軸受部に作用する。これにより、筒状軸受部の内周寸法が変化（楕円状の寸法変化）してしまい、駆動軸の外周を支持する軸受部内周の内径公差を小さくすることができない。つまり、内径公差を小さくすると、軸受部内径の変化（楕円状に変化することによる内径の減少）の影響で駆動軸の嵌合状態がきつくなり、スムーズな回転性能を得ることができない。このように、軸受を圧入した後に内径寸法の変化による不具合が発生した場合には、軸受の内径を追加工する必要があり、労力および製造コストが増大し、更に、本来の軸受性能も安定しない。また、圧入力のバラツキにより、軸受が軸受孔から浮いてしまう現象も生じ易く、この場合には、スラスト方向の規制機能に支障が生じる。
【０００６】
本発明は、このような事情に基づいてなされたもので、軸受を圧入する際に半径方向内方の力が作用するのを防止し、軸受の内径公差を小さくして駆動軸との嵌合ガタを、高精度で安定して抑制することができると共に、内径寸法変化による不具合を確実に防止することのできる魚釣用リールを提供することを目的とする。
【０００７】
【課題を解決するための手段】
上記目的を達成する本発明の魚釣用リールは、リール本体の軸受支持部に嵌合支持される合成樹脂製軸受により、駆動軸を回動自在に支持する魚釣用リールにおいて、前記軸受には、前記駆動軸を回転自在に支えかつ前記リール本体の軸受支持部に嵌合される嵌合部と、この嵌合部から半径方向外方に突出しかつ側部に圧入変形部を設けた突出部とを形成し、前記リール本体には、前記軸受の嵌合部を軸受支持部に嵌合したときに、前記圧入変形部を介して突出部を圧入可能な回り止め係合部を形成し、この回り止め係合部は前記圧入変形部の係合圧力を前記駆動軸の周方向に作用させることを特徴とする。
【０００８】
【発明の実施の形態】
図１から図４は、本発明の好ましい実施形態による魚釣用リール１０の全体を概略的に示す。
図１および図２に示すように、魚釣用リール１０は、リール本体１２と、リール本体１２から延出する脚部１２ａと、脚部１２ａの端部に形成され且つ図示しない釣竿に取り付けられる竿取付部１２ｂとを有している。リール本体１２内にはハンドル軸１４が回転可能に支持されており、リール本体１２から突出するハンドル軸１４の端部にはハンドル１５が固定されている。
【０００９】
ハンドル軸１４のリール本体１２内に配置される部位には、ドライブギア１６が取り付けられており、このドライブギア１６に、ハンドル軸１４に対して直交する方向に延在し且つ軸受けを介してリール本体１２内に回転可能に支持された円筒状構造のピニオンギア１８が噛合している。このピニオンギア１８の先端部には、ベール２０および釣糸案内装置２２を備えたロータ２４が一体的に取り付けられている。
【００１０】
また、このピニオンギア１８内には、スプール軸２６が摺動可能に支持されており、上述のドライブギア１６を介してハンドル軸１４で作動されるオシレーティング機構２８により、軸方向に沿う一定のストロークで往復駆動することができる。このスプール軸２６の先端には、釣糸が巻回されるスプール２８が着脱可能に取付けられ、スプール軸２６と共にこのハンドル軸１４と直交する方向に往復動することができる。
【００１１】
したがって、この魚釣用リール１０は、ハンドル１５を回転操作してハンドル軸１４を回転させると、オシレーティング機構２８およびスプール軸２６を介してスプール２８が前後に一定ストロークで往復動するとともに、ドライブギア１６およびピニオンギア１８を介してロータ２４が回転する。これにより、ロータ２４に設けられた釣糸案内装置２２を介して、スプール２８に釣糸が均等に巻回される。
【００１２】
図２に示すように、このハンドル軸１４のドライブギア１６側の端部は、ボール軸受３０を介して支えられ、一方、ハンドル１５側の端部は、合成樹脂製の軸受３２を介して支えられている。本実施形態では、この軸受３２を支えるボス部すなわち軸受支持部１３をリール本体１２に一体的に形成してある。
【００１３】
図３および図４に示すように、軸受３２は、円筒状の嵌合部３４と、この嵌合部３４の一端側（リール本体１２の内側に配置される端部）から半径方向外方に突出する突出部３６とを有し、この突出部３６の両側部には、後述する回り止め係合部４４に圧入したときに変形可能な断面半円状の圧入変形部３８が設けられている。この軸受３２は、好適な合成樹脂（例えばＰＯＭ：ポリアセタール）により一体構造に成形してある。また、嵌合部３４には、軸方向に延びる複数の貫通孔４０を周方向に間隔をおいて形成し、成形時の樹脂材料のヒケを防止し、この軸受３２の軽量化を図っている。なお、このような貫通孔４０は省略することも可能である。
【００１４】
この軸受３２は、その内周面３３がハンドル軸１４を回動自在に支える滑り軸受面を形成する。また、嵌合部３４の外周面３５は軸受支持部１３の内周面で形成される軸受収容孔４２とほぼ同径に形成してある。このため、この嵌合部３４を軸受支持部１３の軸受収容孔４２に嵌合する際に、嵌合部３４に半径方向内方に向く大きな力が作用することはなく、軸受３２の内周面３３が変形することはない。軸受３２の滑り軸受面を形成する内周面３３の内径公差を小さくすることが可能となり、軸受３２およびハンドル軸１４のガタ付きを小さくしあるいは排除することができる。
【００１５】
この軸受３２をリール本体１２に確実かつ強固に保持するため、軸受支持部１３には、軸受３２の突出部３６が圧入される回り止め係合部４４を形成してある。本実施形態の回り止め係合部４４は、軸受支持部１３の内側端部に、軸受収容孔３２を挟んで径方向に対向させて形成した一対の溝で形成してあり、軸受収容孔４２と連通されている。符号１３ａは、軸受収容孔４２内に突出した突条を示し、この突条１３ａは、軸受収容孔４２内に収容された嵌合部３４に当接し、これを支持可能に形成することが好ましい。
【００１６】
各回り止め係合部４４は、互いに対向しかつ軸受収容孔４２の軸線と平行に延びる一対の側壁部４４ａと、これらの側壁部間に配置される底壁部４４ｂとを有し、軸受３２の突出部３６を押込んだときに、この突出部３６から側方に突出する圧入変形部３８が側壁部４４ａに押圧されて弾性変形しつつ底壁部４４ｂに当接するまでこの回り止め係合部４４内に圧入される。このとき、圧入変形部３８の係合圧力は、回り止め係合部４４の側壁部４４ａに作用するため、軸受３２の内周面３３の周方向にのみ係合圧力が作用し、半径方向内方の力が嵌合部３４に作用することはない。したがって、嵌合部３４の内周面３３には係合圧力が作用せず、成形時の形状および寸法を維持することができる。
【００１７】
なお、嵌合部３４は軸受支持部１３の軸受収容孔４２とほぼ同径に形成されているため、突出部３６を回り止め係合部４４に圧入する際に、嵌合部３４に軸受支持部１３から大きな半径方向内方に向く力が作用することはない。また、突出部３６が底壁部４４ｂに当接したときに、嵌合部３４の端部が軸受支持部１３の突条１３ａに当接することが好ましい。これにより、圧入時における軸受３２の浮き上りを防止することができる。
【００１８】
このように形成された軸受３２の嵌合部３４を軸受支持部１３の軸受収容孔４２に嵌合しかつ突出部３６をその圧入変形部３８を介して回り止め係合部４４に圧入することにより、嵌合部３４が軸受収容孔４２の内周面に密に嵌合し、回り止め係合部４４に圧入された突出部３６を介して確実かつ強固にリール本体１２に保持される。
【００１９】
嵌合部３４に半径方向内方の力が作用しないため、ハンドル軸１４の滑り軸受面を形成する内周面３３は変形することはない。このため、軸受３２をリール本体１２に組立てた後、この内周面３３を加工することを要せず、ハンドル軸１４のスムーズな回転性能が得られる。ハンドル軸１４の回転で形成される力は突出部３６を介して回り止め係合部４４の側壁部４４ａで支えられ、軸受３２の回転およびガタ付きが確実に防止される。また、嵌合部３４に作用するスラスト方向の力は、軸受支持部１３の突条１３ａおよびハンドル軸１４に設けられた突条１４ａ（図２参照）で支えることができる。このため、嵌合部３４にスラスト方向の力が作用しても、突出部３６に作用することがなく、長期間にわたって軸受３２をリール本体１２に確実かつ強固に保持することができる。
【００２０】
したがって、本実施形態の魚釣用リール１０によると、軸受３２を圧入する際に半径方向内方の力が作用するのを防止し、軸受３２の内径公差を小さくして駆動軸であるハンドル軸１４との嵌合ガタを、高精度で安定して抑制することができると共に、ハンドル軸１４の滑り軸受面を形成する内周面３３の内径寸法変化による不具合を確実に防止することのできる。
【００２１】
図５および図６は、変形例による軸受３２Ａを示す。
この変形例による軸受３２Ａは、嵌合部３４から突出する突出部３６を１つにし、これに対応して回り止め嵌合部４４も１つにしたものである。嵌合部３４に代えて突出部３６に貫通孔４６を形成してあるが、嵌合部３４にも上述のような貫通孔４６を設けてもよい。この貫通孔４６は、圧入変形部３８の内側に配置することにより、圧入力の調節を可能としてある。
【００２２】
この変形例による軸受３２Ａは、突出部３６を１つのみで形成したことにより、コンパクトに形成することができると共に、圧入変形部３８の内側に配置した貫通孔４６による空間部が圧入変形部３８の変形圧力あるいは変形量を調節する作用をなし、これにより、突出部３６を回り止め嵌合部４４に圧入する際の圧入圧力を調節することが可能となる。
【００２３】
なお、このような空間部を形成する貫通孔４６は上述の実施形態における軸受３２の突出部３６に形成してもよい。また、上述の実施形態では、リール本体１２の軸受支持部１３に軸受３２を圧入してハンドル軸１４を支持する構成で説明したが、ハンドル１５の回転に連動回転する駆動軸を支持する軸受として応用できることは勿論である。
【００２４】
【発明の効果】
以上明らかなように、本発明によると軸受を圧入する際に半径方向内方の力が作用するのを防止し、軸受の内径公差を小さくして駆動軸との嵌合ガタを、高精度で安定して抑制することができると共に、内径寸法変化による不具合を確実に防止することのできる魚釣用リールが提供される。
【図面の簡単な説明】
【図１】本発明の好ましい実施形態による魚釣用リールの全体構造を示す部分断面図。
【図２】図１のＡ−Ａ線に沿う断面図。
【図３】軸受支持部に装着した軸受を示す説明図。
【図４】図３の軸受支持部と軸受とを分解した状態の斜視図。
【図５】変形例による軸受および軸受支持部を示す説明図。
【図６】図６のＢ−Ｂ線に沿う断面図。
【符号の説明】
１０…魚釣用リール、１２…リール本体、１４…ハンドル軸（駆動軸）、１３…軸受支持部、３２…軸受、３４…嵌合部、３６…突出部、３８…圧入変形部、４４…回り止め係合部。
【図１】
2004298012.tif 000003
【図２】
2004298012.tif 000004
【図３】
2004298012.tif 000005
【図４】
2004298012.tif 000006
【図５】
2004298012.tif 000007
【図６】
2004298012.tif 000008